(57)【要約】【課題】洗い場１０４や壁面１０２下部に残った乾かしにくい水滴を効率良く乾かし、カビの発生を予防する。【解決手段】浴室（１０１）の天井面（１０３）沿いに略直交する四辺方向から吸気１１４し、この吸気１１４位置の内側であって且つ吸気１１４位置より低い位置から、下向きに送気１２１する。あるいは、浴室（１０１）の空気を排気（１１５）することにより浴室（１０１）外から浴室（１０１）内に給気（１１６）されて浴室（１０１）を換気し、換気により露点が下がった浴室（１０１）の空気を浴室（１０１）の天井面（１０３）沿いに略直交する四辺方向から吸気１１４し、この吸気１１４位置の内側であって且つ吸気１１４位置より低い位置から、下向きに送気１２１する。【選択図】  図４
2004184050.tif 000002
【特許請求の範囲】
【請求項１】
浴室（１０１）の天井面（１０３）沿いに略直交する四辺方向から吸気（１１４）して混合し、その一部を浴室（１０１）外に排気（１１５）し、残りを四辺方向の前記吸気（１１４）位置の内側であって且つ前記吸気（１１４）位置より低い位置から下向きに浴室（１０１）内に送気（１２１）する浴室の乾燥方法。
【請求項２】
浴室（１０１）の空気を排気（１１５）することにより浴室（１０１）外から浴室（１０１）内に給気（１１６）されて浴室（１０１）を換気し、換気により露点が下がった浴室（１０１）の空気を天井面（１０３）沿いに略直交する四辺方向から吸気（１１４）して混合し、その一部或いは全てを四辺方向の前記吸気（１１４）位置の内側であって且つ前記吸気（１１４）位置より低い位置から下向きに浴室（１０１）内に送気（１２１）する浴室の乾燥方法。
【請求項３】
空気を吸い込んで吹き出すファン（１０９）と、前記ファン（１０９）の吸込側（１１０）と浴室（１０１）内を連通する吸込風道（２０７）と、前記吸込風道（２０７）の浴室（１０１）側端部で天井面（１０３）近傍に略直交する四辺方向に開口する吸込口（１１１）と、前記ファン（１０９）の吹出側（１１２）と浴室（１０１）外を連通する第１吹出風道（１１７）と、前記ファン（１０９）の吹出側（１１２）と浴室（１０１）内を連通する第２吹出風道（１１８）と、前記第２吹出風道（１１８）の浴室（１０１）側端部に四辺方向に開口するの前記吸込口（１１１）の内側であって且つ前記吸込口（１１１）より低い位置に開口する吹出口（１２０）とを備えた浴室乾燥装置。
【請求項４】
吹出口（１２０）を前記吹出口（１２０）の中心線を境に第１吹出口（２１１）と第２吹出口（２１２）とに分割し、前記第１吹出口（２１１）及び前記第２吹出口（２１２）に前記吹出口（１２０）の内側からの外側に向かって下方向に斜行する複数の風向板（２１３）を平行に設け、前記第１吹出口（２１１）もしくは前記第２吹出口（２１２）の何れか一方を遮蔽する着脱自在な遮蔽部材（２１４）を備えた請求項３記載の浴室乾燥装置。
【請求項５】
ファン（１０９）の吹出側（１１２）が第１吹出風道（１１７）もしくは第２吹出風道（１１８）の何れか一方、或いは前記第１吹出風道（１１７）及び前記第２吹出吹出風道（１１８）の双方に連通するように切替わるダンパー（２１９）を前記吹出側（１１２）に設け、前記ダンパー（２１９）と吹出口（１２０）の間に空気を加熱する加熱手段（１２４）を備えた請求項３又は４記載の浴室乾燥装置。
【請求項６】
四辺方向に開口する吸込口（１１１）の内側であって且つ吸込口（１１１）とファン（１０９）の吸込側（１１０）とを結ぶ吸込風道（２０７）内に空気中の塵埃を捕捉するフィルター（２２０）を設け、前記フィルター（２２０）を着脱するための点検口（２２１）を四辺方向に開口する前記吸込口（１１１）の内側であって且つ前記吸込口（１１１）より低い位置に備えた請求項５記載の浴室乾燥装置。
【請求項７】
ファン（１０９）の吹出側（１１２）が第１吹出風道（１１７）にのみ連通するようにダンパー（２１９）を切替えて前記ファン（１０９）を作動する第１段階を経て、前記ファン（１０９）の吹出側（１１２）が前記第１吹出風道（１１７）及び第２吹出風道（１１８）の双方或いは前記第２吹出風道（１１８）にのみ連通するように前記ダンパー（２１９）を切替えて前記ファン（１０９）を作動する第２段階に移行する運転方法を備えた請求項５又は６記載の浴室乾燥装置。
【請求項８】
ファン（１０９）の吹出側（１１２）が第１吹出風道（１１７）及び第２吹出風道（１１８）の双方に連通するようにダンパー（２１９）を切替えて前記ファン（１０９）及び加熱手段（１２４）を作動する第１段階を経て、前記加熱手段（１２４）のみを停止する第２段階に移行する運転方法を備えた請求項５、６又は７記載の浴室乾燥装置。
【請求項９】
第１段階から第２段階に移行するタイミングを、タイマー（２２５）で積算される運転時間、もしくは温度センサ（２３３）で検出される浴室（１０１）の温度、或いは湿度センサ（２３４）で検出される浴室（１０１）の湿度により判定する請求項７又は８記載の浴室乾燥装置。
【発明の詳細な説明】
【０００１】
【発明の属する技術分野】
本発明は、浴室の乾燥方法及び主に浴室の天井面に設ける浴室乾燥装置に関する。
【０００２】
【従来の技術】
従来、浴室の乾燥方法及び浴室乾燥装置としては、換気を利用して浴室の乾燥を行うものが一般的である。
【０００３】
以下、換気を利用した浴室乾燥装置及び浴室の乾燥方法について図１７を参照しながら説明する。
【０００４】
図１７は従来の一般的な浴室及び浴室乾燥装置の構成及び浴室乾燥の動作を示す簡易的な断面図であり、図に示すように浴室１０１は、壁面１０２、天井面１０３、浴槽１０４、洗い場１０５、ドア１０６、ドア１０６に形成されたガラリ１０７とから構成され、天井面１０３に浴室乾燥装置の本体１０８が設置されている。本体１０８は、ファン１０９と、ファン１０９の吸込側１１０と浴室１０１の内部とを連通する吸込口１１１とから構成され、ファン１０９の吹出側１１２は排気ダクト１１３を介して浴室１０１の外部と連通している。
【０００５】
ファン１０９を作動させると浴室１０１の空気が吸込口１１１から本体１０８に吸気１１４され、排気ダクト１１３を通って浴室１０１外部に排気１１５される。この排気１１５に伴いガラリ１０７より浴室１０１外部の低湿度の空気が浴室１０１に給気１１６されて高湿の空気と入れ替わり換気が行われる。換気により浴室１０１内の空気の水蒸気分圧は低下して水分を含めるようになり、壁面１０２、天井面１０３、洗い場１０５等の結露の蒸発を促して浴室１０１を乾燥させることになる。
【０００６】
しかしながら、このように単純に浴室１０１を換気する構成では、空気の流れが少ない天井面１０３隅から壁面１０２上部にかけてのコーナー部の乾燥が遅く、かびが発生しやすいという問題点があった。
【０００７】
この点を改良するために、吸気の一部を天井面沿いに浴室内に送気するものがある（例えば、特許文献１参照）。
【０００８】
以下、その吸気の一部を天井面沿いに浴室内に送気する浴室乾燥装置及び浴室の乾燥方法について図１８を参照しながら説明する。図１８において図１７と同じ構成要素については同じ符号を用い、詳細な説明を省略する。
【０００９】
図１８は従来の吸気の一部を天井面沿いに浴室内に送気する浴室乾燥装置の構成及び浴室乾燥の動作を示す簡易的な断面図であり、図に示すようにファン１０９の吹出側１１２と浴室１０１外を連通する第１吹出風道１１７と、ファン１０９の吹出側１１２と浴室１０１内を連通する第２吹出風道１１８が設けられており、ファン１０９の運転により吸込口１１１より吸気１１４された浴室１０１内の空気の一部が第２吹出風道１１８の下方に設けられたグリル１１９と天井面１０３の間隙を利用した吹出口１２０から天井面１０３沿いに四方向に送気１２１され天井面１０３隅から壁面１０２上部の結露の蒸発を促し乾燥するものである。
【００１０】
また、更に天井面や壁面上部の乾燥を促すため浴室外の空気を天井面沿いに浴室内に給気するものもある（例えば、特許文献２参照）。
【００１１】
以下、その浴室外の空気を天井面沿いに浴室内に給気する浴室乾燥装置及び浴室の乾燥方法について図１９を参照しながら説明する。図１９において図１７及び図１８と同じ構成要素については同じ符号を用い、詳細な説明を省略する。
【００１２】
図１９は従来の浴室外の空気を天井面沿いに浴室内に給気する浴室乾燥装置の構成及び浴室乾燥の動作を示す簡易的な断面図であり、図に示すように浴室１０１外部の空気を浴室１０１内に給気１１６するための給気ユニット１２２と、給気ユニット１２２と本体１０８を接続するための給気ダクト１２３が設けられ、給気ユニット１２２の運転により浴室１０１外の低湿度の空気が給気ダクト１２３を介して本体１０８に導入され、グリル１１９と天井面１０３の間隙を利用した吹出口１２０から天井面１０３沿いに四方向に給気１１６されて天井面１０３隅から壁面１０２上部の結露の蒸発を促し乾燥するものである。
【００１３】
また、更に浴室を乾燥するため、浴室内の空気を加熱して循環させるものもある（例えば、特許文献３参照）。
【００１４】
以下、その浴室内の空気を加熱して循環させる浴室乾燥装置及び浴室の乾燥方法について図２０を参照しながら説明する。図２０において図１７、図１８及び図１９と同じ構成要素については同じ符号を用い、詳細な説明を省略する。
【００１５】
図２０は従来の浴室内の空気を加熱して循環する浴室乾燥機の構成及び浴室乾燥の動作を示す簡易的な断面図であり、図に示すように第２吹出風道１１８にヒーター１２４を設け、ファン１０９の運転により吸込口１１１より吸気１１４された浴室１０１内の空気の一部をヒーター１２４により加熱して水蒸気分圧を低下させ吹出口１２０より案内羽根１２５と回転グリル１２６を介して浴室１０１内に拡散するように送気１２１させて壁面１０２、天井面１０３等の結露の蒸発を促し乾燥するものである。
【００１６】
【特許文献１】
特開平８−２６１５２９号公報（第３−５頁、第２図）
【特許文献２】
特開平７−１４５９７３号公報（第３−５頁、第２図）
【特許文献３】
実開平１−９４８５３号公報（第６−８頁、第１図）
【００１７】
【発明が解決しようとする課題】
以上の例のように、浴室１０１の空気を排気１１５して換気を行い浴室１０１内の空気の水蒸気分圧を低下させ水分を含めるようにして、壁面１０２、天井面１０３、洗い場１０５等の結露の蒸発を促すとともに、排気１１５の一部を浴室１０１内に送気１２１し天井面１０３沿いに流して天井面１０３隅から壁面１０２上部を乾かす技術が開示されているが、使用直後の浴室１０１が高湿高露点の空気状態となる一方、浴室１０１を形成する材質の熱容量により壁面１０２や天井面１０３は浴室１０１の外の温度に順じて比較的冷えているため、天井面１０３沿いに流した送気１２１が天井面１０３や壁面１０２で冷やされて新たに結露して乾燥が遅くなるという問題点、及び天井面１０３沿いの送気１２１が四方向に分散して風速が落ちるため、浴室１０１下方に到達する前に吹出口１２０より低い位置にある吸込口１１１に吸気１１４されるショートサーキットが起こり、送気１２１が入浴後の洗い場１０５隅や壁面１０２下部等の浴室１０１下方に残った水滴に届かず乾きにくいという問題点があった。
【００１８】
また、浴室１０１外の低湿度の空気を本体１０８に導入し、天井面１０３沿いに給気１１６して天井面１０３隅から壁面１０２上部の結露の蒸発を促し乾燥を速める技術が開示されているが、浴室１０１外部の空気を浴室１０１に供給するための給気ユニット１２２及び給気ユニット１２２と本体１０８を接続する給気ダクト１２３が必要となり装置が複雑化してコストが高くなるという問題点、及び天井面１０３沿いの給気１１６が四方向に分散して風速が落ちるため、浴室１０１下方に到達する前に吹出口１２０より低い位置にある吸込口１１１に吸気１１４されるショートサーキットが起こり、給気１１６が入浴後の洗い場１０５隅や壁面１０２下部等の浴室１０１下方に残った水滴に届かず乾きにくいという問題点があった。
【００１９】
また、浴室１０１内の空気の一部を加熱して水蒸気分圧を低下させ案内羽根１２５と回転グリル１２６を介して浴室１０１内に送気１２１して壁面１０２、天井面１０３等の結露の蒸発を促し浴室１０１を乾燥させる技術が開示されているが、吸込口１１１と吹出口１２０が略同一の高さに接近して設けられているため、ヒーター１２４で加熱された送気１２１が浴室１０１下方に到達する前に吹出口１２０の近傍にある吸込口１１１に吸気１１４されるショートサーキットが起こり、ヒーター１２４の熱が入浴後の洗い場１０５隅や壁面１０２下部等の浴室１０１下方に残った水滴に届かず乾きにくいという問題点、及び上述したショートサーキットを抑制するためには浴室１０１下方に送気１２１する風速を高める必要があり、風量が増えるため送風騒音が大きくなるという問題点、及び空気中の塵埃を捕捉するフィルターを吸込口１１１近傍に取り付けた場合は、吸込面積の急激な拡大縮小が発生し吸込抵抗が増加して風量が減少し、風速が低下して洗い場１０５隅や壁面１０２下部等の浴室１０１下方に残った水滴に届かず乾きにくいという問題点があった。
【００２０】
本発明は上記課題を解決するものであり、入浴後の洗い場１０５や壁面１０２下部等の浴室１０１下方に残った乾かしにくい水滴をショートカットや吸込面積の急激な拡大縮小による吸込抵抗の増加を抑制することにより必要以上に風量を上げることなく効率良く乾燥すること、また、天井面１０３、壁面１０２に新たな結露を発生させず乾燥を速めること、また、給気ユニット１２２や給気ダクト１２３を要しない簡単な構成にしてコストアップを抑えること、そしてヒーター１２４の熱を有効に使い浴室１０１を短時間で乾燥することを実現する浴室の乾燥方法及び浴室乾燥装置を提供することを目的としている。
【００２１】
【課題を解決するための手段】
本発明の浴室の乾燥方法は上記目的を達成するために、ショートカットが起こり難いように天井面沿いに略直交する四辺方向から広範囲に吸気して、その四辺方向の吸気位置の内側で且つ吸気位置より低い位置から下向きに送気することとしている。そして、この送気は容易に吸気に戻らずに風速を保ったまま浴室下方まで到達し洗い場や壁面下部に残った水滴を効率良く乾燥することができる。
【００２２】
また、他の手段は、換気によって浴室の空気の露点を下げた後に、この低露点の空気を天井面沿いに広範囲に吸気して混合し、その一部或いは全てを下向きに浴室内に送気することとしている。そして、この低露点の吸気が冷やされても結露せずに壁面や天井面に沿って流れて乾燥を速めることができる。
【００２３】
また、本発明の浴室乾燥装置は上記目的を達成するために、ショートカットが起こり難いようにファンの吸込側に天井面沿いに略直交する四辺方向から吸気する吸込口と、ファンの吹出側に四辺方向に開口した吸込口の内側で且つ吸込口より低い位置から送気する吹出口を備えることとしている。そして、この単一のファンからなる安価で簡単な構成において、吹出口からの送気が容易に吸込口に戻らずに風速を保ったまま浴室下方まで到達して、洗い場や壁面下部に残った水滴を効率良く乾燥することができる。
【００２４】
また、他の手段は、吹出口を下斜めの二方向に送気するように分割し、その何れか一方向を遮蔽する着脱自在な遮蔽部材を備えることとしている。そして、より乾かしたい洗い場や壁面下部の方向に送気を集中させて風速を高め浴室下方の水滴を効率良く乾燥することができる。
【００２５】
また、他の手段は、吹出口からの送気を加熱する加熱手段を備えることとしている。そして、この加熱手段の熱が送気に乗じて容易に吸込口に戻らずに浴室下方まで有効に到達して、洗い場や壁面下部に残った水滴を短時間で乾燥することができる。
【００２６】
また、他の手段は、空気中の塵埃を捕捉するフィルターを、吸込口との間にチャンバー部が介在するように距離を設けて備えることとしている。そして、吸込気流の急激な拡大縮小を抑制し、且つチャンバー部で整流しフィルター通過時の圧力損失を低減して吸込抵抗の増加を抑え、吹出口からの送気の風量を落さずに風速を保持して浴室下方まで到達させ、洗い場や壁面下部に残った水滴を効率良く乾燥することができる。
【００２７】
また、他の手段は、換気によって浴室の空気の露点を下げる第１段階を経て、この低露点の空気を吹出口から下向きに送気し、吸込口より天井面沿いに広範囲から吸気する第２段階に移行する運転方法を備えることとしている。そして、この単一のファンからなる安価で簡単な構成において、第１段階で露点が下がった浴室の空気が、第２段階で結露せずに壁面や天井面に沿って流れて乾燥を速めることができる。
【００２８】
また、他の手段は、換気によって浴室の空気の露点を下げるとともに吹出口からの送気を加熱する第１段階を経て、その加熱のみを停止する第２段階に移行する運転方法を備えることとしている。そして、第１段階で換気と加熱により湿度の下がった空気が結露せずに壁面や天井面に沿って流れて乾燥が速まり、浴室の湿度が十分に下がった後は、第２段階で加熱手段が停止して熱の浪費が抑えられ効率良く浴室を乾燥することができる。
【００２９】
また、他の手段は、第１段階から第２段階に移行するタイミングを、積算運転時間、もしくは浴室の温度、或いは浴室の湿度により判定することとしている。そして、乾燥運転積算時間もしくは浴室の温度或いは浴室の湿度により浴室の空気の露点温度が浴室内表面温度を下回った段階を詳細に判定して、確実に天井面や壁面の新たな結露を抑止するとともに、加熱手段の熱を浪費することなく短時間で効率良く浴室を乾燥することができる。
【００３０】
【発明の実施の形態】
本発明は、浴室の天井面沿いに略直交する四辺方向から吸気して混合し、混合した吸気の一部を浴室外に排気し、残りを四辺方向の吸気位置の内側であって且つ吸気位置より低い位置から下向きに浴室内に送気するようにしたものである。この吸気は天井面に略平行で且つ四辺方向から集中する方向の速度ベクトルを持ち、一方、送気は天井面に略垂直で且つ下向きの速度ベクトルを持つ。この送気の開始点は吸気位置より低い位置にあり、互いのベクトルが浴室内で交差せず、また上下方向において重なることも無いため、送気から吸気へのショートカットが起こり難い気流分布を形成する。更に双方のベクトルの長さ、即ち速度は四辺方向に分かれている吸気より、集中した送気の方が大きくなり易く、下向きの流れを更に支援して浴室下方により到達しやすい気流分布が形成される。
【００３１】
また、本発明は、浴室の高湿度の空気を排気して浴室外から低湿度の空気を給気し、浴室内の高湿度の空気を低湿度空気に入替えて換気を行い、この換気によって露点が低下した浴室の空気を天井面沿いに略直交する四辺方向から広範囲に吸気して混合し、混合した吸気の一部或いは全てを四辺方向の吸気位置の内側であって且つ吸気位置より低い位置から下向きに浴室内に送気するようにしたものである。このように換気が行われた後の浴室の空気を壁面あるいは天井面沿いに流すと、浴室外の温度の影響を受けて冷えている壁面や天井面により冷却されて温度は低下するものの換気によって露点が下がっているため結露せず、逆に、この低露点空気の飽和水蒸気との分圧差が壁面や天井面の結露の蒸発を促すように作用する。
【００３２】
また、本発明は、天井面に設置される本体内に、空気を吸い込んで吹き出すファンを備え、このファンの吸込側を吸込風道を介して浴室内に連通し、この吸込風道の浴室側端部において天井面近傍に略直交する四辺方向に吸込口を開口させ、ファンの吹出側を第１吹出風道を介して浴室外と、第２吹出風道を介して浴室内と連通させて、この第２吹出風道の浴室側端部に四辺方向の吸込口の内側であって且つ吸込口より低い位置に吹出口を開口させたものである。そして、ファンを作動すると、略直交する四辺方向の吸込口に向けて天井面に対して略平行な速度ベクトルを持つ吸気が発生し、その一部が吸込口より低い位置にある吹出口から天井面に対し略垂直方向の下向きの速度ベクトルを持つ送気となる。この送気と吸気の速度ベクトルは浴室内で互いに交差せず、また上下方向において重なることも無いため送気は吸気に戻りにくくなり、ショートカットが起こり難い気流分布が形成される。そして、双方の速度ベクトルの大きさ、即ち速度は、吹出口が吸込口の内側に形成さるため、四辺方向に分かれている吸気より集中している送気の方が大きくなり易く、下向きの流れを更に支援して浴室下方により到達しやすい気流分布を形成する。
【００３３】
また、吹出口を中心線を境に第１吹出口と第２吹出口とに分割し、下斜めの二方向に送気するように、第１吹出口及び第２吹出口に吹出口の内側から外側に向かって下方向に斜行する複数の風向板を平行に設け、第１吹出口あるいは第２吹出口の何れかの、風向板がより乾かしたい方向を向いている一方を開口し、他方を着脱自在な遮蔽部材で遮蔽するようにしたものである。そして、ファンを作動すると、分割した吹出口の何れか一方から、洗い場や壁面下部等の乾かしたい部分に向かって、且つ吹出面積の減少によって高風速となった送気が発生し、ショートカットが起こりにくく且つ乾かしたい洗い場や壁面下部に到達しやすい気流分布が形成される。
【００３４】
また、ファンの吹出側が第１吹出風道もしくは第２吹出風道の何れか一方、或いは第１吹出風道及び第２吹出風道の双方に連通するように切替わるダンパーを吹出側に設け、このダンパーと吹出口の間に第２吹出風道を流れる空気を加熱する加熱手段を備えたものである。そして、ファンを作動すると前述した浴室下方向に向かう送気が発生し、この送気が加熱手段を流通する際に加熱されて高温低湿状態となり飽和水蒸気との分圧差が拡大して水分をより含めるようになる。この高温低湿状態の送気が浴室下方にある入浴後の洗い場や壁面下部に残った水滴に接触することにより短時間で水滴の蒸発を促すように作用する。そして、加熱手段の熱出力は第２吹出風道を流れる空気に乗じて全て浴室内に入り有効に利用される。
【００３５】
また、四辺方向に開口する吸込口の内側であって且つ吸込口とファンの吸込側とを結ぶ吸込風道内に空気中の塵埃を捕捉するフィルターを設け、このフィルターを着脱するための点検口を、四辺方向に開口する吸込口の内側であって且つ吸込口より低い位置に備え、フィルター（２２０）と吸込口（１１１）の間隙を利用してチャンバー部を形成したものである。そして、ファンを作動すると、前述したように四辺方向に開口する吸込口に向かう吸気が発生し、吸込抵抗を受けてファンに吸込まれるが、吸込口近傍にフィルターが無いために吸込口通過時の吸込気流の急激な縮小拡大を抑制して吸込抵抗の増加を抑え、更に吸込口を通過した後はチャンバー部において緩やかに拡散し整流されてフィルターを通過するので、フィルター通過時の吸込抵抗の増加も抑制される。
【００３６】
また、ファンの吹出側が第１吹出風道にのみ連通するようにダンパーを切替えてファンを作動する第１段階を経て、ファンの吹出側が第２吹出風道のみ或いは第１吹出風道及び第２吹出風道の双方に連通するようにダンパーを切替える第２段階に移行する運転方法を備えたものである。第１段階ではファンの吹出側は第１吹出風道を介して浴室外にのみ連通しているため、ファンの作動により浴室の高湿度の空気は排気され浴室外から低湿度の空気が給気されて換気がなされ浴室内の空気の露点が低下する。第２段階では、ファンの吹出側は第２吹出風道を介して浴室内に連通するので、吸込口からの吸気の一部あるいは全てが吹出口から浴室内に送気され吸込口より天井面沿いに広範囲に吸気される。この低湿度の空気は前述したように壁面から天井面沿いを流れる際に冷却されるが、温度は低下するものの換気によって露点が下がっているために結露せず、逆に、この低露点空気の飽和水蒸気との分圧差が壁面や天井面の結露の蒸発を促すように作用する。
【００３７】
また、ファンの吹出側が第１吹出風道及び第２吹出風道の双方に連通するようにダンパーを切替えてファン及び加熱手段を作動する第１段階を経て、加熱手段のみを停止する第２段階に移行する運転方法を備えたものである。第１段階ではファンの吹出側は第１吹出風道を介して浴室外と、また、第２吹出風道を介して浴室内と連通して、ファンの作動により浴室の高湿度の空気が吸込口より略直交する四辺方向に吸気されて一部は排気され浴室外より低湿度の空気の給気を促して換気がなされ、浴室内の空気の露点が下がり、吸気された残りは吸込口より低い位置にある吹出口から加熱手段により加熱されて浴室内に下向き送気される。この換気と加熱により高温低湿度のより水分を含めるようになった空気が、前述した気流分布形成により、洗い場や壁面下部に残った水滴に接触した後、壁面から天井面沿いを流れて浴室全体の結露の蒸発を促し、浴室の空気が十分に高温低湿となった後は、第２段階に移行して加熱手段のみを停止し、浴室内の高温低湿空気を利用して熱を無駄に使うことなく前述した浴室全体の結露蒸発作用を継続する。
【００３８】
また、第１段階から第２段階に移行するタイミングは、タイマーで積算される運転時間、もしくは温度センサ検出される浴室の温度、或いは湿度センサで検出される浴室の湿度により判定するものであり、乾燥運転積算時間もしくは浴室の温度或いは浴室の湿度により浴室の空気の露点温度が浴室内表面温度を下回った段階を詳細に判定し、確実に天井面や壁面での新たな結露を抑制し、また、加熱手段の熱が無駄に使われることを防ぐ。
【００３９】
【実施例】
以下、本発明の実施例について図面を参照しながら説明する。なお、従来例と同じ構成要素については同じ符号を用い、詳細な説明を省略する。
【００４０】
（実施例１）
図１は本発明の実施例１における浴室乾燥装置の概略構成を示す簡易的な断面図である。図１に示すように、浴室乾燥装置の本体１０８を浴室１０１の天井面１０３に設けた開口部２０１に嵌め込み、本体１０８の外郭を形成するケース２０２の下端にフランジ部２０３を設け、このフランジ部２０３を天井面１０３にボルト締めして本体１０８を浴室１０１に設置固定する。ケース２０２の内面にはファン１０９の羽根２０４を内包するケーシング２０５を形成し、羽根２０４をケース２０２の上部に固定したモータ２０６の軸に締着してモータ２０６の駆動により羽根２０４を回転させる。また、ケーシング２０５の下面にファン１０９の吸込側１１０を開口し、ケーシング２０５の側面にはファン１０９の吹出側１１２を開口して、羽根２０４の回転によりケーシング２０５下面方向から空気を吸い込んで側面方向に吹き出すファン１０９の動作を為し得る。そして、ケーシング２０５の吸込側１１０周囲を吸込方向下向きに延長しケース２０２下端で浴室１０１内に開口して吸込風道２０７を形成し、ケーシング２０５の吹出側１１２周囲は吹出方向に延長してケース２０２側面の浴室１０１外部に開口させ第１吹出風道１１７を形成する。そして、ケース２０２外郭の第１吹出風道１１７開口端にアダプタ２０８を取り付け、一端が屋外に開口した排気ダクト１１３をアダプタ２０８に嵌めこんで、吹出側１１２と屋外とを連通する。また、ケーシング２０５の吹出側１１２と第１吹出風道１１７の接続部を下向きに分岐延長し浴室１０１内に開口させて第２吹出風道１１８を形成し、フランジ２０３に螺子で固着してケース２０２の下面を覆蓋するグリル１１９に開口した吹出口１２０に第２吹出風道１１８の浴室１０１側開口端を勘合して吹出側１１２と浴室１０１内を連通する。また、グリル１１９の天井面１０３近傍で吹出口１２０より高い位置にグリル１１９の外縁に沿って四辺方向に吸込口１１１を開口し、グリル１１９とケース２０２に形成されるチャンバー部２０９を介してファン１０９の吸込側１１０と浴室１０１内を連通している。
【００４１】
図２（ａ）（ｂ）（ｃ）は本実施例に用いるグリル１１９のパターンを示すの外観図であり、図２（ａ）は、グリル１１９の外縁に沿って開口した吸込口１１１を四辺方向に分割して開口したもので、吸込口１１１を複数の補強リブ２１０で仕切っている。図２（ｂ）は補強リブ２１０の数を増やして吸込口１１１を更に細かく分割したものである。図２（ｃ）は、図２（ｂ）の吸込口１１１を高さ方向にも２分割したものである。図２（ａ）（ｂ）（ｃ）に示したグリル１１９のパターンは何れもグリル１１９の外縁に沿って吸込口１１１を開口したもので、広範囲の吸気１１４を目的としており、何れのパターンもその作用効果において大きな差異は無く、グリル１１９の強度や浴室１０１の意匠に応じて選定すれば良い。また、上述した目的より、グリル１１９の外郭形状を６角形或いは８角形等の多角形（ｎ＝３，４，５・・）にしても良く、その場合は吸込口１１１は６辺方向或いは８辺方向等グリル１１９の外郭形状の全ての辺（ｎ＝３，４，５・・）に開口しても同様の効果が得られる。なお、上述の広範囲の吸気１１４が得られるのであれば、グリル１１９の外郭形状を６角形或いは８角形等の多角形（ｎ＝３，４，５・・）にし、その一部の辺（ｎ＝１，２，３，４，５・・）に吸気口１１１を設けても良い。
【００４２】
図３（ａ）（ｂ）（ｃ）は前述した吹出口１２０の詳細構成を示しており、図３（ａ）は吹出口１２０部分を拡大した斜視図である。吹出口１２０を中心線を境に第１吹出口２１１と第２吹出口２１２とに分割し、第１吹出口２１１及び第２吹出口２１２に各々複数の風向板２１３を設けている。図３（ｂ）は図３（ａ）におけるＡ−Ａ’断面を示しており、風向板２１３は吹出口１２０の外側に向かって設置状態における下方向に斜向して吹出口１２０を第１吹出口２１１と第２吹出口２１２とに分割した中心線を軸に対称に形成される。図３（ｃ）は遮蔽部材２１４を第１吹出口２１１に取付けた場合の吹出口１２０の外観を図３（ａ）とは上下方向において逆向きに示した斜視図である。グリル１１９の吹出口１２０の逆面に遮蔽部材２１４を嵌め込むための溝２１５を形成して遮蔽部材２１４を第１吹出口２１１及び第２吹出口２１２のどちらにも取り付け可能にしている。図３（ｃ）では遮蔽部材２１４を第１吹出口２１１に取り付け、第２吹出口２１２のみ開口している。この状態でファン１０９を駆動すると、矢符に示す下斜め一方向に送気１２１が発生する。遮蔽部材２１４は第２吹出口２１２にも取付可能であり、その場合は逆に第１吹出口２１１から下斜め反対方向に送気１２１することになる。
【００４３】
図４は浴室乾燥装置の浴室１０１への設置状態及び浴室乾燥の動作を示す簡易的な断面図であり、図４に示すように浴室１０１の天井面１０３に浴室乾燥装置の本体１０８を設置する。図示しない運転スイッチの指示を受けてファン１０９が作動し、グリル１１９の外縁に沿って開口した吸込口１１１から天井面１０３沿いに略直交する四辺方向から吸気１１４して混合し、その一部を排気ダクト１１３を通じて屋外に排気１１５する。この排気１１５に伴いドア１０６に設けたガラリ１０７より浴室１０１外の低湿度の空気が給気１１６され、浴室１０１内の空気の水蒸気分圧が低下して水分を含めるようになる。また、風向板２１３が浴槽１０４方向に斜向している第２吹出口２１２に遮蔽部材２１４を取付け、浴槽１０４と反対方向の洗い場１０５向きに風向板２１３が斜向している第１吹出口２１１のみを開口し、吸気１１４を混合した残りはグリル１１９の吸込口１１１の内側で吸込口１１１より低い位置に開口した第１吹出口２１１から風向板２１３に沿って洗い場１０５方向に下斜めに送気１２１して浴室１０１下方まで到達し、壁面１０２に沿って上昇して天井面１０３沿いに四辺方向より吸気１１４されて循環する。このように排気１１５と給気１１６によって浴室１０１内の空気が低湿度に入替わる換気効果と、送気１２１の浴室１０１下方への到達による洗い場１０５や壁面１０２下部に残った水滴の蒸発促進効果と、壁面１０２から天井面１０３に沿う吸気１１４の表面結露の蒸発促進効果を複合して浴室１０１の乾燥動作を為す。
【００４４】
図５（ａ）（ｂ）（ｃ）は浴室乾燥装置を浴室１０１に設置し運転した時の浴室１０１内の気流分布の測定結果を示したものであり、図５（ａ）は本発明の第１の実施例の浴室乾燥装置を設置した場合の気流分布、図５（ｂ）（ｃ）は何れも従来の浴室乾燥装置を設置した場合の気流分布を示しており、図５（ｂ）は図２０に示した吹出口１２０と吸込口１１１を略同一の高さに近接して開口したタイプの浴室乾燥装置を設置したものであり、図５（ｃ）は図１８に示した天井面１０３沿い四方向に吹出口１２０を開口し、その吹出口１２０の内部に吸込口１１１を開口したタイプの浴室乾燥装置を設置したものである。浴室１０１の広さ、吸気１１４量、排気１１５量、給気１１６量、送気１２１量は全て同一条件に設定し、吸気量は約２２０ｍ３／時、排気量は約１００ｍ３／時、給気量は排気量と同等で約１００ｍ３／時、送気量は約１２０ｍ３／時である。図５（ａ）では図５（ｂ）、図５（ｃ）に対して明らかに、浴室１０１下方の洗い場１０５や壁面１０２下方に気流到達が為されている気流分布が形成されていることが分かる。以上のように実施例１に示した浴室乾燥装置は、浴室１０１下方に送気１２１が到達し易い気流分布を形成して壁面１０２、天井面１０３の結露及び洗い場１０５等の浴室１０１下方に残った水滴の乾燥に優れた効果を発揮するものである。
【００４５】
図６（ａ）（ｂ）は、浴室乾燥装置の浴室への設置パターンを示した簡易的な平面図であり、図６（ａ）は排気ダクト１１３をドア１０６の反対側から接続する場合の設置状態、図６（ｂ）は排気ダクト１１３をドア１０６側から接続する場合の設置状態である。図６（ａ）では、浴槽１０４側に開口する第２吹出口２１２に遮蔽部材２１４を取り付け、洗い場１０５側に開口する第１吹出口２１１のみを開口して、第１吹出口２１１の風向板２１３に沿って洗い場１０５側の浴室１０１下方に集中的に送気１２１する。逆に図６（ｂ）では、浴槽１０４側に開口する第１吹出口２１１に遮蔽部材２１４を取り付け、第２吹出口２１２のみ開口して、第２吹出口２１２の風向板２１３に沿って洗い場１０５側の浴室１０１下方に集中的に送気１２１する。このように遮蔽部材２１４の取り付け変更のみで、前述した気流分布形成を崩さずに排気ダクト１１３の接続方向の変更に容易に対応可能にしている。
【００４６】
図７（ａ）（ｂ）は遮蔽部材２１４に補助風向板２１８を設けた構成を示している。図７（ａ）は補助風向板２１８を設けた遮蔽部材２１４によって第１吹出口１２１を遮蔽する時の取り付け状態を示す斜視図であり、遮蔽部材２１４によって遮蔽されない第２吹出口２１２の設置方向において上面に風向板２１３に直交する向きの複数の補助風向板２１８を遮蔽部材２１４と一体に形成している。この遮蔽部材２１４は前述したように第１吹出口２１１および第２吹出口２１２のどちらにも取り付け可能なので、第２吹出口２１１を遮蔽する場合は第１吹出口２１１の上面に補助風向板２１８が配されるように構成される。図７（ｂ）は図７（ａ）におけるＡ−Ａ’断面を示しており、補助風向板２１８は風向板２１３の取付方向に対して直交して設けられて上下方向に勾配を有している。この状態でファン１０９を駆動すると、風向板２１３によって下斜め一方向に発生する送気１２１の方向を補助風向板２１８によって更に直交方向に変更することが可能となる。遮蔽部材２１４で第２吹出口２１２を遮蔽した場合は、第１吹出口２１１から下斜め反対方向に送気１２１することになる。補助風向板２１８による送気１２１の進行方向は、後述する理由でドア１０６の遠方に向けるのが望ましい。
【００４７】
図８（ａ）（ｂ）は浴室乾燥装置に取付ける遮蔽部材２１４に補助風向板２１８を設けた場合の浴室１０１への設置パターンと送気１２１方向を示した簡易的な平面図であり、図８（ａ）は排気ダクト１１３をドア１０６の反対側から接続する場合の設置状態、図８（ｂ）は排気ダクト１１３をドア１０６側から接続する場合の設置状態である。図８（ａ）では、補助風向板２１８の勾配がドア１０６の反対側の浴室１１０下方に向くようして浴槽１０４側の第２吹出口２１２を遮蔽部材２１４で遮蔽する。そして、開口している第１吹出口２１１から風向板２１３により洗い場１０５側の浴室１０１下方に送気１２１するが、風向板２１３の上面に位置する補助風向板２１８によって矢符に示すようにドア１０６の遠方方向に送気１２１方向を変更し、洗い場１０５のドア１０６から離れた奥やカラン２１７上部等水滴が溜まり易く乾き難い部分を集中的に乾かす。ドア１０６近傍の洗い場１０５には送気１２１が届きにくくなるが、ファン１０９の運転によってドア１０６の下方に開口しているガラリ１０７から低湿の空気が給気１１６されるため、送気１２１の不足分が捕捉され、総合的に効率の良い浴室乾燥を為し得る。図８（ｂ）では、第２吹出口２１２が洗い場１０５側に配されるので、遮蔽部材２１４は図８（ａ）と逆に第１吹出口２１１を遮蔽するが、補助風向板２１８は図８（ａ）と同様に補助風向板２１８の勾配がドア１０６の反対側の浴室１１０下方に向く方向で第２吹出口２１２の上位に位置するように遮蔽部材２１４を取り付けるので図８（ａ）と同様に洗い場１０５のドア１０６から離れた奥やカラン２１７上部等を集中的に乾燥し、浴室１０１を総合的に効率良く乾燥する。
【００４８】
（実施例２）
実施例１と同じ構成要素については同じ符号を用い、詳細な説明を省略する。
【００４９】
図９は本発明の実施例２における浴室乾燥装置の概略構成を示す簡易的な断面図である。図２に示すように、浴室乾燥装置のケース２０２内の第１吹出風道１１７と第２吹出風道１１８の分岐部にファン１０９の吹出側１１２が第１吹出風道１１７もしくは第２吹出風道１１８の何れか一方、或いは第１吹出風道１１７と第２吹出風道１１８の双方に連通するように切替わるダンパー２１９を取り付け、第２吹出風道１１８中のダンパー２１９と吹出口１２０の間に空気を加熱する加熱手段としてのヒーター１２４を設けている。また、ケーシング２０５を下方に延長して形成した吸込風道２０７のケース２０２下端の開口部に吸込風道２０７を通過する空気中の塵埃を捕捉するフィルター２２０を取り付け、このフィルター２２０の外周をグリル１１９にチャンバー部２０９を介して下向きに投影した部分にフィルター２２０を着脱するための点検口２２１を開口し、この点検口２２１の開口面積をフィルター２２０の外周より大きくしてフィルター２２０を容易に着脱可能にする。そして、点検口２２１を遮蔽する着脱自在なカバー２２２をグリル１１９に取り付け、フィルター２２０の着脱時以外は、カバー２２２によって点検口２２１を封鎖する。また、浴室乾燥装置を操作するコントローラー２２３からの指示を受けて、モータ２０６の作動、ヒーター１２４の作動、ダンパー２１９の作動を制御する制御装置２２４をケース２０２内に設け、この制御装置２２４に運転開始からの時間を積算するタイマー２２５を付設する。ここでコントローラー２２３からの指示を受けてファン１０９が作動すると、矢符に示すように四辺方向に開口した吸込口１１１に向かって吸気１１４が発生し、吸込側１１０よりファン１０９に吸い込まれるが、フィルター２２０が吸込口１１１と距離を設けて取り付けられているので、吸込口１１１通過時は吸込口１１１のみの抵抗となり急激な拡大縮小が抑制される。吸込口１１１通過した後はチャンバー部２０９において拡散して整流しフィルター２２０を通過するので、フィルター２２０通過時の抵抗増加も抑えられる。そしてフィルター２２０によって塵埃を捕捉するのでヒーター１２４に塵埃が流入せず安全性を高めることができる。
【００５０】
図１０は本実施例に用いるグリル１１９の外観図であり、グリル１１９を取付状態において下面方向から見た図であり、グリル１１９の外縁に沿って四辺方向に吸込口１１１が開口し、吸込口１１１の内部に吹出口１２０と点検口２２１を開口して点検口２２１をカバー２２２で蓋っている。グリル１１９を取付状態において側面方向から見ると、四辺方向に開口する吸込口１１１より低い位置に吹出口１２０と点検口２２１が開口する配置となる。
【００５１】
図１１はダンパー２１９の詳細構成を示す斜視図である。ダンパー２１９を動かす際の軸となる回転軸２２６に、回転軸２２６を中心軸とする扇状の遮蔽部２２７を、遮蔽部２２７の四隅から側板２２８により回転可能に取付け、遮蔽部２２７を回転させてダンパー２１９位置の変更を可能にしている。
【００５２】
図１２（ａ）（ｂ）（ｃ）はダンパー２１９の設定位置を示す簡易的な断面図である。図１２（ａ）はファン１０９の吹出側１１２が第１吹出風道１１７と第２吹出風道１１８の双方に連通する場合のダンパー２１９位置を示しており、第１吹出風道１１７の下方が開口するまで遮蔽部２２７を上側に回転駆動し、ダンパー２１９を上位位置に設定する。図１２（ｂ）はファン１０９の吹出側１１２が第２吹出風道１１８にのみ連通する場合のダンパー２１９の設定位置を示しており、遮蔽部２２７を第１吹出風道１１７を完全に遮蔽するように回転駆動し、ダンパー２１９を中間位置に設定する。図１２（ｃ）はファン１０９の吹出側１１２が第１吹出風道１１７にのみ連通する場合のダンパー２１９の設定位置を示しており、遮蔽部２２７を第２吹出風道１１８を完全に遮蔽するように下側に回転駆動し、ダンパー２１９を下位位置に設定する。このように遮蔽部２２７の回転駆動によりダンパー２１９位置を切替えて吹出側１１２と第１吹出風道１１７及び第２吹出風道１１８の連通の切替えを為すものである。
【００５３】
図１３はコントローラー２２３の簡易的な外観図でコントローラー２２３から指示可能な運転モードを示している。コントローラー２２３には、浴室乾燥装置の運転停止を指示する入切スイッチ２２９と、ファン１０９の風量を強ノッチと弱ノッチに設定する強弱スイッチ２３０と、各運転モードを選定する運転モードスイッチ２３１と、タイマー運転の時間を設定するタイマースイッチ２３２を設けている。運転モードスイッチ２３１では、「換気」と「浴室暖房」と「衣類乾燥」と「浴室乾燥（標準）」と「浴室乾燥（高速）」の各運転モードを選定可能にしている。タイマースイッチ２３２は２時間、４時間、８時間のタイマー運転が可能で、運転開始からの時間をタイマー２２５で積算し、タイマー設定時間経過に基づいて浴室乾燥装置の運転を自動的に停止するものである。
【００５４】
図１４は各運転モードにおけるファン１０９の作動とヒーター１２４の入り切りとダンパー２１９の設定位置を時系列的に示した図である。「換気」運転は、ダンパー２１９を下位位置に設定し、ヒーター１２４は切り状態にしてファン１０９を作動する。ファン１０９の吹出側１１２は第１吹出風道１１７を介して浴室１０１外にのみ連通しているため、ファン１０９の作動によって吸込口１１１から吸気１１４し、その全てを浴室１０１外に排気１１５し、その排気１１５に伴ってガラリ１０７から浴室１０１外の新鮮な空気を給気１１６して浴室１０１の換気を行うものである。
【００５５】
また、「浴室暖房」運転は、ダンパー２１９を中間位置に設定し、ヒーター１２４を入り状態にしてファン１０９を作動する。ファン１０９の吹出側１１２は第２吹出風道１１８を介して浴室１０１内のみに連通しているため、ファン１０９の作動によって吸込口１１１から吸気し、その全てを第２吹出風道１１８内にあるヒーター１２４で加熱して浴室１０１内に送気１２１し、ヒーター１２４の熱を浴室１０１に投入して暖房を行うものである。
【００５６】
また、「衣類乾燥」運転は、ダンパー２１９を上位位置に設定し、ヒーター１２４を入り状態にしてファン１０９を作動する。ファン１０９の吹出側１１２は第１吹出風道１１７を介して浴室１０１外と、第２吹出風道１１８を介して浴室１０１内と各々連通しているため、ファン１０９の作動によって吸込口１１１から吸気１１４し、その一部を第２吹出風道１１８内にあるヒーター１２４で加熱して浴室１０１内に送気１２１し、浴室１０１に干されている洗濯物を乾かす。また吸気１１４の残りは第１吹出風道１１７を介して浴室１０１外に排気１１５するので、この排気１１５に洗濯物から発湿した水分が含まれて排湿される。また、排気１１５に伴ってガラリ１０７から浴室１０１外の低湿な空気が給気１１６されるので、浴室１０１の水蒸気分圧が低下して更に乾燥が進む。なお、この「衣類乾燥」運転で浴室を乾燥させることは十分可能であり、前述したように送気１２１が浴室１０１下方に到達し易い気流分布が形成されるため、ヒーター１２４の熱が送気１２１によって洗い場１０５や壁面１０２下部に残った水滴に到達して乾燥を速める効果を生む。但し、ヒーター１２４の消費電力によってはランニングコストが嵩むことになるので、後述するように乾燥運転途中でヒーター１２４を停止させることがランニングコストの低減には有効である。
【００５７】
また、「浴室乾燥（標準）」運転は、第１段階と第２段階とに分かれ、第１段階は、「換気」運転と同様の動作であり、ダンパー２１９を下位位置に設定し、ヒーター１２４は切り状態にしてファン１０９を作動する。そして第１段階開始からの運転時間をタイマー２２５で積算し、所定時間（図中ΔＴ１）経過した時点で第２段階に移行する。この所定時間Ｔ１は換気によって浴室１０１の空気の露点温度が浴室１０１内表面温度を下回った段階であり、空気条件によって多少の幅を有するものの概ね３０分から１２０分である。第２段階では、ダンパー２１９を上位位置に設定し、ヒーター１２４は切り状態を継続してファン１０９を作動する。ファン１０９の吹出側１１２は第１吹出風道１１７を介して浴室１０１外と、第２吹出風道１１８を介して浴室１０１内と各々連通するため、ファン１０９の作動によって吸気１１４の一部が第２吹出風道１１８を介して吹出口１２０より送気１２１となり、浴室１０１下方に到達した後、壁面１０２から天井面１０３に沿って四辺方向より広範囲に吸気１１４されて循環する。この壁面１０２から天井面１０３沿いを流れる吸気１１４は第１段階において浴室１０１の表面温度より露点が下がっているため、壁面１０２や天井面１０３で冷やされても結露せずに乾燥を促すことが可能である。なお、浴室１０１の断熱性によっては、吸気１１４が結露し難いこともあるので、その場合は最初から第２段階の動作を実行し乾燥を速めることも容易に行える。
【００５８】
また、「浴室乾燥（高速）」運転も、第１段階と第２段階とに分かれ、第１段階は、「衣類乾燥」運転と同様の動作であり、ダンパー２１９を上位位置に設定し、ヒーター１２４を入り状態にしてファン１０９を作動する。そして第１段階開始からの運転時間をタイマー２２５で積算し、所定時間（図中ΔＴ２）経過した時点で第２段階に移行する。この所定時間Ｔ２はヒーター１２４による昇温によって浴室１０１の空気の露点温度が浴室１０１内表面温度を下回った段階であり、空気条件によって多少の幅を有するものの概ね１５分から９０分である。第２段階は、「浴室乾燥（標準）」運転の第２段階と同様であり、ダンパー２１９は中間位置を継続、ヒーター１２４は切り状態にしてファン１０９を作動する。ヒーター１２４により高温となった吸気１１４は壁面１０２や天井面１０３で冷やされても結露せずに乾燥を促すことが可能である。また、ヒーター１２４の残熱が送気１２１によって浴室１０１下方に到達し、洗い場１０５や壁面１０２下部に残った水滴の乾燥を促進させるのである。
【００５９】
図１５（ａ）（ｂ）は浴室乾燥運転時の吸気１１４の温度、湿度、露点温度及び浴室１０１の表面温度の変化を時系列で示した図であり、図１５（ａ）は「浴室乾燥（標準）」運転での温湿度変化、図１５（ｂ）は「浴室乾燥（高速）」運転での温湿度変化を示している。図１５（ａ）では、初期状態からシャワーによってお湯を散水し（図中ｔ１）、所定時間経過後、シャワーを止めて浴室乾燥運転を開始する（図中ｔ２）。開始直後は吸気１１４の空気の温度、湿度、露点温度とも高いが、第１段階が進むにつれて低下していく。対して浴室１０１の表面温度は変化の幅が小さく、第１段階途中では露点温度より低い温度となる。換気の進行によって浴室１０１の表面温度より吸気１１４の露点温度が低下した時点（図中ｔ３）を過ぎた後に、所定時間（図中ΔＴ１）が経過して第１段階が終了し第２段階に移行している（図中ｔ４）。このｔ３時点の吸気１１４の湿度は、浴室外空気条件に依らず、概ね５０％から６０％となるので、この湿度を検出することによって第１段階から第２段階への移行のタイミングを判定することが可能である。また、ｔ３時点の吸気１１４の温度の絶対値は浴室外空気条件により異なるが、初期状態のｔ１時点の温度と略同一となった時点を以って判定することが可能である。
【００６０】
図１５（ｂ）も同様で初期状態から散水し（図中ｔ１）、散水を停止して浴室乾燥運転を開始する（図中ｔ２）。図１５（ａ）と異なるのは、吸気１１４の湿度と露点温度は低下するが、ヒーター１２４の熱が浴室１０１内に投入されるため、吸気１１４温度、浴室１０１表面温度は上昇する点である。しかしながら吸気１１４の温度上昇に対して浴室１０１表面の温度上昇は鈍いため、第１段階途中では、露点温度より低い温度となる。ヒーター１２４の熱によって浴室１０１の表面温度が吸気１１４の露点温度を上回った時点（図中ｔ３）を過ぎてから、所定時間（図中ΔＴ２）が経過して第１段階が終了し第２段階に移行している（図中ｔ４）。このｔ３時点の吸気１１４の湿度は、図１５（ａ）と同様に浴室外空気条件に依らず、概ね５０％から６０％となる。また、吸気１１４の温度はヒーター１２４の熱により短時間で上昇するので、概ね４０℃到達時をｔ３時点と判断して良い。このように吸気１１４の温度或いは湿度、即ち浴室１０１内の空気の温度或いは湿度を検出することにより、浴室乾燥運転時の第１段階から第２段階への移行のタイミングをより精度良く判定することが可能となる。
【００６１】
図１６（ａ）（ｂ）は浴室乾燥装置に温度センサ或いは湿度センサを設けた場合の概略構成を示す簡易的な断面図である。図１６（ａ）は前述した吸気１１４の温度を検出するため、温度センサ２３３を吸込風道２０７内のフィルター２２０上部に取り付け、温度センサ２２３で検出した温度を制御装置２２４に取り込み、その温度に基づきダンパー２１９及びヒーター１２４の作動を制御するようにしている。そして第１段階から第２段階へ移行するタイミングの判定において、ダンパー２１９の切替えは検出温度が乾燥運転初期の温度を上回った時点、ヒーター１２４の入り切りは検出温度が４０℃を超えた時点としている。図１６（ｂ）は吸気１１４の湿度を検出するため、湿度センサ２３４を同様に吸込風道２０７内のフィルター２２０上部に取り付け、湿度センサ２３４で検出した湿度を制御装置２２４に取り込み、その湿度に基づきダンパー２１９及びヒーター１２４の作動を制御するようにしている。そして第１段階から第２段階へ移行するタイミングの判定は、検出湿度が６０％を下回った時点としている。
【００６２】
なお、本実施例においてフィルター２２０を着脱するための点検口２２１をグリル１１９に開口して、この点検口２２１を遮蔽する着脱自在なカバー２２２を備えることとしたが、点検口２２１はフィルター２２０着脱時にのみ開口して、それ以外は閉鎖できれば良いのであって、点検口２２１を蔽う蓋の回転軸をグリル１１９に形成し、その回転軸に蓋側に形成される受け部を嵌め込み、蓋の回転によって点検口２２１の開閉を行うようにすれば、フィルター２２０着脱時に蓋を完全に取り外さなくても良く、メンテナンス性を向上できる。
【００６３】
また、図９に示すように、四辺方向に開口する吸込口１１１の内側であって且つ吸込風道２０７内のファン１０９の吸込側１１０と吸込口１１１の間の前記吸込口１１１より高い位置にフィルター２２０を設け、フィルター２２０を着脱するための点検口２２１を四辺方向に開口する前記吸込口１１１の内側であって且つ前記吸込口１１１より低い位置に備えれば、この点検口２２１とフィルター２２０の上下方向の間隙を利用し、チャンバー部２０９を比較的容易な構造で形成できる。また、フィルタ２２０を円筒状若しくは半球状とし、ファン１０９の吸込側１１０近傍に設ければ、上述の吸込抵抗の増加を抑制すると同時に、フィルター２２０の面積が広くなり、フィルター２２０の長寿命化を図れる。
【００６４】
また、第１段階を経て第２段階に移行するものとしたが、例えば第２段階の動作中に、外気温・湿度の変化等に伴って浴室内の湿度が変化した場合等には、第１段階で露点が下がった浴室の空気の露点が再び上昇するので、第２段階から第１段階に復帰してもさせることもできる。
【００６５】
また、タイマー２２５を制御装置２２４に付設する構成としたが、コントローラ２２３側にタイマー２２５を設けても、その作用効果に差異は生じない。
【００６６】
また、空気を加熱する加熱手段に用いるヒーター１２４は、例えば、セラミックヒーター、シーズヒーター、ニクロムヒーター、輻射ヒーターが使用でき、更には、ヒーターに限らず空気を加熱可能なものであれば良いのであって、内部に高温の流体が流れる熱交換器を用いることも可能である。熱交換器内を流す高温の流体としては、温水ボイラ、ＣＯ２ヒートポンプ給湯機、コージェネ排熱等を熱源とする温水や、直膨式ヒートポンプを熱源とするＲ４１０Ａ、ＣＯ２等の冷媒を用いることができる。
【００６７】
【発明の効果】
本発明は、以上説明したような形態で実施され、以下に記載されるような効果を奏する。
【００６８】
天井面沿いに略直交する四辺方向から吸気して、その吸気位置の内側であって且つ吸気位置より低い位置から下向きに送気することによって、天井面及び壁面の全域に気流が誘起され、入浴後の洗い場や壁面下部に残った乾かしにくい水滴を効率良く乾燥することができる。
【００６９】
また、換気して浴室の空気の露点を下げた後に、この低露点の空気を下向きに送気して天井面沿いに広範囲に吸気することによって、壁面や天井面の新たな結露を抑止して乾燥を速めることができる。
【００７０】
また、ファンの吸込側に天井面沿いに略直交する四辺方向から吸気する吸込口と、ファンの吹出側に吸込口の内側であって且つ低い位置から送気する吹出口とを備えることによって、入浴後の洗い場や壁面下部に残った乾かしにくい水滴を効率良く乾燥することができる。また、ショートカットが起こりにくい気流分布を形成するので必要以上に風量を出さなくてもよく騒音も小さい。そして単一のファンからなる簡単な構成で安価にできる。更にダクト工事は排気ダクトの接続のみで良く施工性も良い。
【００７１】
また、吹出口を下斜め２方向に送気するように分割し、その何れか一方向を遮蔽する着脱自在な遮蔽部材を備えることによって、より乾かしたい洗い場や壁面下部の方向に送気を集中させ風速を高めて浴室下方の水滴を効率良く乾燥することができる。また、遮蔽部材の取付位置の変更のみで排気方向の変更や浴室内配置の変更に容易に対応できる。更に、開口している吹出口の下面に遮蔽部材と一体に風向板に直交する向きの補助風向板を設けることにより、乾きにくいカラン部等の浴室端にも送気を集中させ効率良く乾燥することができる。
【００７２】
また、ファンの吹出側を切替えるダンパーと吹出口からの送気を加熱する加熱手段とを備えることによって、加熱手段の熱を有効に利用して洗い場や壁面下部に残った乾かしにくい水滴を短時間で乾燥することができる。また、ダンパーの切替えにより暖房運転や換気単独運転もできる。
【００７３】
また、空気中の塵埃を捕捉するフィルターを、吸込口との間にチャンバー部が介在するように距離を設けて備えることによって、吸込口通過時の吸込気流の急激な拡大縮小を抑制し吸込抵抗の増加を抑え、更にチャンバー部の整流効果でフィルター通過時の吸込抵抗の増加も抑制して送気の風速を確保し浴室下方まで到達させ洗い場や壁面下部に残った水滴を効率良く乾燥することができる。また、グリルに設けた着脱自在な点検口からフィルターの着脱が簡単に行えて、フィルターの清掃や交換等のメンテナンスを容易に行える。
【００７４】
また、換気によって浴室の空気の露点を下げる第１段階を経て、この低露点の空気を吹出口から下向きに送気し、吸込口より天井面沿いに広範囲から吸気する第２段階に移行する運転方法を備えることによって、壁面や天井面の新たな結露を抑止して乾燥を速めることができる。また、単一のファンとダンパーからなる簡単な構成で安価にできる。
【００７５】
また、換気によって浴室の空気の露点を下げるとともに吹出口からの送気を加熱する第１段階を経て、その加熱のみを停止する第２段階に移行する運転方法を備えることによって、壁面や天井面の新たな結露を抑止して短時間で乾燥できる。更に加熱手段の熱を有効に利用して効率良く乾燥し運転費用も抑えられる。
【００７６】
また、第１段階から第２段階に移行するタイミングを、浴室の湿度、もしくは浴室の温度、或いは積算運転時間により判定することにより、浴室の空気の露点温度が浴室内表面温度を下回った段階を詳細に判定し、確実に天井面や壁面の新たな結露を抑制するとともに、加熱手段の熱を浪費することなく短時間で効率良く浴室を乾燥することができる。
【図面の簡単な説明】
【図１】本発明の実施例１の浴室乾燥装置の構成を示す簡易的な断面図
【図２】同、浴室乾燥装置に用いるグリルのパターンを示すの外観図
【図３】同、浴室乾燥装置の吹出口の詳細構成を示す図
【図４】同、浴室乾燥装置の浴室への設置状態及び浴室乾燥の動作を示す簡易的な断面図
【図５】同、浴室乾燥装置を浴室に設置し運転した時の浴室内の気流分布の測定結果を示した図
【図６】同、浴室乾燥装置の浴室への設置パターンを示した簡易的な平面図
【図７】同、浴室乾燥装置に取付ける遮蔽部材に補助風向板を設けた構成を示す図
【図８】同、浴室乾燥装置に取付ける遮蔽部材２１４に補助風向板２１８を設けた場合の浴室への設置パターンと送気方向を示した簡易的な平面図
【図９】本発明の実施例２の浴室乾燥装置の構成を示す簡易的な断面図
【図１０】同、浴室乾燥装置に用いるグリルの外観図
【図１１】同、浴室乾燥装置のダンパーの詳細構成を示す斜視図
【図１２】同、浴室乾燥装置のダンパーの設定位置を示す簡易的な断面図
【図１３】同、浴室乾燥装置のコントローラーの簡易的な外観図
【図１４】同、浴室乾燥装置の各運転モードにおけるファンの作動とヒーターの入り切りとダンパーの設定位置を時系列的に示した図
【図１５】同、浴室乾燥装置の浴室乾燥運転時の吸気の温度、湿度、露点温度及び浴室の表面温度の変化を時系列で示した図
【図１６】同、浴室乾燥装置に温度センサ或いは湿度センサを設けた場合の概略構成を示す簡易的な断面図
【図１７】従来の一般的な浴室及び浴室乾燥装置の構成及び浴室乾燥の動作を示す簡易的な断面図
【図１８】従来の吸気の一部を天井面沿いに浴室内に送気する浴室乾燥装置の構成及び浴室乾燥の動作を示す簡易的な断面図
【図１９】従来の浴室外の空気を天井面沿いに浴室内に給気する浴室乾燥装置の構成及び浴室乾燥の動作を示す簡易的な断面図
【図２０】従来の浴室内の空気を加熱して循環する浴室乾燥装置の構成及び浴室乾燥の動作を示す簡易的な断面図
【符号の説明】
１０１  浴室
１０３  天井面
１０９  ファン
１１０  吸込側
１１１  吸込口
１１２  吹出側
１１４  吸気
１１５  排気
１１６  給気
１１７  第１吹出風道
１１８  第２吹出風道
１２０  吹出口
１２１  送気
１２４  ヒーター
２０７  吸込風道
２１１  第１吹出口
２１２  第２吹出口
２１３  風向板
２１４  遮蔽部材
２１９  ダンパー
２２０  フィルター
２２１  点検口
２２５  タイマー
２３３  温度センサ
２３４  湿度センサ
【図１】
2004184050.tif 000003
【図２】
2004184050.tif 000004
【図３】
2004184050.tif 000005
【図４】
2004184050.tif 000006
【図５】
2004184050.tif 000007
【図６】
2004184050.tif 000008
【図７】
2004184050.tif 000009
【図８】
2004184050.tif 000010
【図９】
2004184050.tif 000011
【図１０】
2004184050.tif 000012
【図１１】
2004184050.tif 000013
【図１２】
2004184050.tif 000014
【図１３】
2004184050.tif 000015
【図１４】
2004184050.tif 000016
【図１５】
2004184050.tif 000017
【図１６】
2004184050.tif 000018
【図１７】
2004184050.tif 000019
【図１８】
2004184050.tif 000020
【図１９】
2004184050.tif 000021
【図２０】
2004184050.tif 000022